(57)【要約】【課題】  装置内に部品情報を書き込んで保持もしくは読出す部品情報について、装置内で部品情報を記号に変換しかつ情報と記号の対応データを生成することで、装置内で部品情報を効率よく保持することが可能な構成および方法を有した装置および方法を提供する。【解決手段】  装置の部品情報を保持する部品情報保持手段と、部品情報書き込み手段と、部品情報読み出し手段と、部品番号を部品記号に変換する部品記号変換手段と、材料情報を材料記号に変換する材料記号変換手段と、部品記号と材料記号の対応データを生成する部品・材料記号対応データ生成手段と、部品番号および材料情報と部品記号および材料記号の対応データを生成する記号・情報対応データ生成手段と、部品情報を読出す際に、部品記号を指定することで対応する材料記号を読出す材料記号読出し手段と、材料記号を指定することで対応する部品記号を読出す部品記号読出し手段とを有することを特徴とする部品情報保持装置および方法。【選択図】        図１
2005182374.tif 000002
【特許請求の範囲】
【請求項１】
装置の部品情報を装置内部に配設された情報保持部に保持する部品情報保持手段と、
装置の部品情報を前記情報保持部に書き込む部品情報書き込み手段と、
装置の部品情報を前記情報保持部から読み出す部品情報読み出し手段と、
部品情報は、部品番号に対応した少なくとも１つ以上の付加情報から構成され、
装置の部品情報を装置内の情報保持部に書き込むために装置外部から受信し、部品番号を部品記号に変換する部品記号変換手段と、
部品の付加情報を識別する付加情報記号に変換する付加情報記号変換手段と、
部品記号と付加情報記号の対応データを生成する部品・付加情報記号対応データ生成手段と、
部品番号および付加情報と、部品記号および付加情報記号の対応データを生成する記号・情報対応データ生成手段と、
部品情報を読み出す際に、部品情報を指定することで対応する付加情報を読み出す付加情報読み出し手段と、
付加情報を指定することで対応する部品情報を読み出す部品情報読み出し手段とを有することを特徴とする部品情報保持装置。
【請求項２】
部品情報保持装置に接続されている複数の部品情報保持装置の接続状態を確認する装置接続状態確認手段と、
部品情報保持装置に接続されている複数の部品情報保持装置内に保持された部品情報を読み出す接続装置部品情報読み出し手段と、
部品情報を書き込む接続装置部品情報書き込み手段とを有することを特徴とする請求項１記載の部品情報保持装置。
【請求項３】
前記付加情報は部品の処分処理方法を表す情報であることを特徴とする請求項１あるいは２記載の部品情報保持装置。
【請求項４】
前記付加情報は部品の規格を表す情報であることを特徴とする請求項１あるいは２記載の部品情報保持装置。
【請求項５】
前記付加情報は部品の環境情報であることを特徴とする請求項１あるいは２記載の部品情報保持装置。
【請求項６】
前記付加情報は部品の材料情報であることを特徴とする請求項１あるいは２記載の部品情報保持装置。
【請求項７】
前記材料情報は部品で使用されている材料の材質を表す情報であることを特徴とする請求項６記載の部品情報保持装置。
【請求項８】
前記材料情報は部品で使用されている材料の仕上げ処理方法を表す情報であることを特徴とする請求項６記載の部品情報保持装置。
【請求項９】
前記材料情報は部品で使用されている材料の処分処理方法を表す情報であることを特徴とする請求項６記載の部品情報保持装置。
【請求項１０】
前記材料情報は部品で使用されている材料の規格を表す情報であることを特徴とする請求項６記載の部品情報保持装置。
【請求項１１】
前記材料情報は部品で使用されている材料の環境情報であることを特徴とする請求項６記載の部品情報保持装置。
【請求項１２】
装置の部品情報を装置内部に配設された情報保持部に保持する部品情報保持手段と、
装置の部品情報を前記情報保持部に書き込む部品情報書き込み手段と、
装置の部品情報を前記情報保持部から読み出す部品情報読み出し手段と、
部品情報は、部品番号に対応した少なくとも１つ以上の付加情報から構成され、
装置の部品情報を装置内の情報保持部に書き込むために装置外部から受信し、部品番号を部品記号に変換する部品記号変換手段と、
部品の付加情報を識別する付加情報記号に変換する付加情報記号変換手段と、
部品記号と付加情報記号の対応データを生成する部品・付加情報記号対応データ生成手段と、
部品番号および付加情報と、部品記号および付加情報記号の対応データを生成する記号・情報対応データ生成手段と、
部品情報を読み出す際に、部品情報を指定することで対応する付加情報を読み出す付加情報読み出し手段と、
付加情報を指定することで対応する部品情報を読み出す部品情報読み出し手段とを有することを特徴とする部品情報保持方法。
【請求項１３】
部品情報保持装置に接続されている複数の部品情報保持装置の接続状態を確認する装置接続状態確認手段と、
部品情報保持装置に接続されている複数の部品情報保持装置内に保持された部品情報を読み出す接続装置部品情報読み出し手段と、
部品情報を書き込む接続装置部品情報書き込み手段とを有することを特徴とする請求項１２記載の部品情報保持方法。
【請求項１４】
前記付加情報は部品の処分処理方法を表す情報であることを特徴とする請求項１２あるいは１３記載の部品情報保持方法。
【請求項１５】
前記付加情報は部品の規格を表す情報であることを特徴とする請求項１２あるいは１３記載の部品情報保持方法。
【請求項１６】
前記付加情報は部品の環境情報であることを特徴とする請求項１２あるいは１３記載の部品情報保持方法。
【請求項１７】
前記付加情報は部品の材料情報であることを特徴とする請求項１２あるいは１３記載の部品情報保持方法。
【請求項１８】
前記材料情報は部品で使用されている材料の材質を表す情報であることを特徴とする請求項１７記載の部品情報保持方法。
【請求項１９】
前記材料情報は部品で使用されている材料の仕上げ処理方法を表す情報であることを特徴とする請求項１７記載の部品情報保持方法。
【請求項２０】
前記材料情報は部品で使用されている材料の処分処理方法を表す情報であることを特徴とする請求項１７記載の部品情報保持方法。
【請求項２１】
前記材料情報は部品で使用されている材料の規格を表す情報であることを特徴とする請求項１７記載の部品情報保持方法。
【請求項２２】
前記材料情報は部品で使用されている材料の環境情報であることを特徴とする請求項１７記載の部品情報保持方法。
【発明の詳細な説明】
【技術分野】
【０００１】
本発明は、複数の材料からなる部品を組み合わせて一つの機能部品とし、さらに機能部品を組み合わせることによって構成する装置において、その装置の機能部品で使用している個々の部品の材料情報をその装置内で保持し、装置の販売時や破棄時に部品の材料情報を利用可能とするような装置を構成する際に利用可能な装置およびソフトウェアにて処理方法を記述したプログラムに関するものである。また、環境に配慮した部品廃却処理時に参考となる情報を装置内に書き込むもしくは、装置外に読み出す方法に関するものである。
【０００２】
例えば、電子部品を複数集積して機能部品としたものや、複数の部品から構成されたモータや電磁ソレノイド等であるアクチュエータを組み合わせて構成した装置やその制御・処理方法であり、事務機器や家電製品やその他電子／電気制御を行う装置に関するものである。
【背景技術】
【０００３】
従来、装置を構成する複数部品の複数の材料情報について、装置内に情報を保持するために、非接触ＩＣメモリ内に保持し、材料情報が必要な際に読み出すもしくは、書き込むように構成されているものがある（例えば、特許文献１参照）。また、製造時、メンテナンス時に型番、製造番号等のＩＤ情報および材質情報、稼動情報などのデータを保持し、必要な際にそれら情報を読み出して利用するように構成されているものがある（例えば、特許文献２参照）。
【特許文献１】特開２００２−１７９２２９号公報
【特許文献２】特開平１０−２２２５６８号公報
【発明の開示】
【発明が解決しようとする課題】
【０００４】
しかしながら、上記従来例では、情報保持部に書き込む情報の書き込み方法もしくは読み出し処理における手順に関して、装置個別に対応するか、もしくは装置から読み出した情報を後で整理し調整しなければならないという煩雑さがあるというような欠点があった。
【０００５】
また、装置内に保持する情報であるデータの生成方法について規定されておらず、外部の部品材料に関するデータベース等からのデータをそのまま装置内の情報保持部に書き込む方法を採用しており、装置内で保持するデータ量が多いという欠点もあった。
【０００６】
さらに従来例では、装置内の構成部品に関する材料情報やその他環境情報について、複数の装置を接続した構成については考慮されていなかった。
【０００７】
本発明は、このような問題点に鑑みて為されたものであり、その目的とする処は、第１に、装置内に部品情報を書き込んで保持もしくは読み出す部品情報について、装置内で部品情報を記号に変換しかつ情報と記号の対応データを生成することで、装置内で部品情報を効率よく保持することが可能な構成および方法を有した装置を提供することにある。
【０００８】
また、第２に、装置内に複数の部品情報を書き込んで保持もしくは読み出すことを可能とした装置において、複数の装置を接続した際に容易に各装置の部品情報を書き込んで保持もしくは読み出すことを可能とする構成および方法を有した装置を提供することにある。
【課題を解決するための手段】
【０００９】
本発明は、下記の技術的構成により前記目的を達成できたものである。
【００１０】
（１）装置の部品情報を装置内部に配設された情報保持部に保持する部品情報保持手段と、装置の部品情報を前記情報保持部に書き込む部品情報書き込み手段と、装置の部品情報を前記情報保持部から読み出す部品情報読み出し手段と、部品情報は、部品番号に対応した少なくとも１つ以上の付加情報から構成され、装置の部品情報を装置内の情報保持部に書き込むために装置外部から受信し、部品番号を部品記号に変換する部品記号変換手段と、部品の付加情報を識別する付加情報記号に変換する付加情報記号変換手段と、部品記号と付加情報記号の対応データを生成する部品・付加情報記号対応データ生成手段と、部品番号および付加情報と、部品記号および付加情報記号の対応データを生成する記号・情報対応データ生成手段と、部品情報を読み出す際に、部品情報を指定することで対応する付加情報を読み出す付加情報読み出し手段と、付加情報を指定することで対応する部品情報を読み出す部品情報読み出し手段とを有することを特徴とする部品情報保持装置および方法。
【００１１】
上記構成において、部品情報保持手段は、装置の内部に情報保持部として配設され、装置を構成する複数の部品の番号としての部品番号や記号化された部品記号や、部品の付加情報や記号化された付加情報記号を部品情報のデータとして情報保持部内に書き込まれ、常時記憶しているものである。
【００１２】
部品情報書き込み手段は、前記部品情報保持手段の情報保持部へ、装置の製造時や修理における部品交換時に装置を構成する複数の部品情報をデータとして電気的に通信処理などで書き込むように動作する。
部品情報読み出し手段は、前記部品情報保持手段の情報保持部内に書き込まれ常時記憶している情報をデータとして電気的に通信処理などで読み出すように動作する。
【００１３】
部品記号変換手段は、外部装置から電気的に通信処理などで部品番号データを受信した際に、装置内部での保持データとして部品記号に変換および生成する処理である。
【００１４】
付加情報記号変換手段は、外部装置から電気的に通信処理などで付加情報を受信した際に、装置内部での保持データとして付加情報記号に変換および生成する処理である。
【００１５】
部品・付加情報記号対応データ生成手段は、外部装置から電気的に通信処理などで受信した部品番号と付加情報の対応を部品記号と付加情報記号の組み合わせデータとして生成するように処理するものである。組み合わせデータは部品記号に付加情報記号が付随するデータ構成である。
【００１６】
記号・情報対応データ生成手段は、部品記号と付加情報記号に対応する部品情報としての部品番号や付加情報が付随するデータを生成する作用である。
【００１７】
付加情報記号読み出し手段は、部品を識別する部品番号を記号に置き換えて部品情報のデータとして保持されている部品記号を指定することで、前記部品情報保持手段の情報保持部内に書き込まれ常時記憶している付加情報を識別するための付加情報記号をデータとして電気的に通信処理などで読み出す動作を行う。
【００１８】
部品記号読み出し手段は、付加情報を識別するための付加情報記号を指定することで、前記部品情報保持手段の情報保持部内に書き込まれ常時記憶している部品を識別する部品記号をデータとして電気的に通信処理などで読み出す動作をいう。
【００１９】
（２）部品情報保持装置に接続されている複数の部品情報保持装置の接続状態を確認する装置接続状態確認手段と、部品情報保持装置に接続されている複数の部品情報保持装置内に保持された部品情報を読み出す接続装置部品情報読み出し手段と、部品情報を書き込む接続装置部品情報書き込み手段とを有することを特徴とする前記（１）記載の部品情報保持装置および方法。
【００２０】
上記構成において、装置接続状態確認手段は装置の接続部分を介して電気的に通信処理可能なように接続されている他装置の情報を取得し、装置内で保持するように動作する。
【００２１】
接続装置部品情報読み出し手段は、部品情報保持装置に電気的に通信処理などでデータの送受信が可能なように接続された他の部品情報保持装置から、部品情報を通信処理にてデータとして部品情報保持装置の情報保持部から読み出して取得する処理を行うものである。
【００２２】
接続装置部品情報書き込み手段は、部品情報保持装置に電気的に通信処理などでデータの送受信が可能なように接続された他の部品情報保持装置へ部品情報をデータとして送信し対応する部品情報保持装置の情報保持部に記憶させる処理を行うものである。
【００２３】
（３）前記付加情報は部品の処分処理方法を表す情報であることを特徴とする前記（１）あるいは（２）記載の部品情報保持装置および方法。
【００２４】
（４）前記付加情報は部品の規格を表す情報であることを特徴とする前記（１）あるいは（２）記載の部品情報保持装置および方法。
【００２５】
（５）前記付加情報は部品の環境情報であることを特徴とする前記（１）あるいは（２）記載の部品情報保持装置および方法。
【００２６】
（６）前記付加情報は部品の材料情報であることを特徴とする前記（１）あるいは（２）記載の部品情報保持装置および方法。
【００２７】
（７）前記材料情報は部品で使用されている材料の材質を表す情報であることを特徴とする前記（６）記載の部品情報保持装置および方法。
【００２８】
（８）前記材料情報は部品で使用されている材料の仕上げ処理方法を表す情報であることを特徴とする前記（６）記載の部品情報保持装置および方法。
【００２９】
（９）前記材料情報は部品で使用されている材料の処分処理方法を表す情報であることを特徴とする前記（６）記載の部品情報保持装置および方法。
【００３０】
（１０）前記材料情報は部品で使用されている材料の規格を表す情報であることを特徴とする請求項（６）記載の部品情報保持装置および方法。
【００３１】
（１１）前記材料情報は部品で使用されている材料の環境情報であることを特徴とする前記（６）記載の部品情報保持装置および方法。
【００３２】
（１２）装置の部品情報を装置内部に配設された情報保持部に保持する部品情報保持手段と、
装置の部品情報を前記情報保持部に書き込む部品情報書き込み手段と、
装置の部品情報を前記情報保持部から読み出す部品情報読み出し手段と、
部品情報は、部品番号に対応した少なくとも１つ以上の付加情報から構成され、
装置の部品情報を装置内の情報保持部に書き込むために装置外部から受信し、部品番号を部品記号に変換する部品記号変換手段と、
部品の付加情報を識別する付加情報記号に変換する付加情報記号変換手段と、
部品記号と付加情報記号の対応データを生成する部品・付加情報記号対応データ生成手段と、
部品番号および付加情報と、部品記号および付加情報記号の対応データを生成する記号・情報対応データ生成手段と、
部品情報を読み出す際に、部品情報を指定することで対応する付加情報を読み出す付加情報読み出し手段と、
付加情報を指定することで対応する部品情報を読み出す部品情報読み出し手段とを有することを特徴とする部品情報保持方法。
【００３３】
（１３）部品情報保持装置に接続されている複数の部品情報保持装置の接続状態を確認する装置接続状態確認手段と、
部品情報保持装置に接続されている複数の部品情報保持装置内に保持された部品情報を読み出す接続装置部品情報読み出し手段と、
部品情報を書き込む接続装置部品情報書き込み手段とを有することを特徴とする前記（１２）記載の部品情報保持方法。
【００３４】
（１４）前記付加情報は部品の処分処理方法を表す情報であることを特徴とする前記（１２）あるいは（１３）記載の部品情報保持方法。
【００３５】
（１５）前記付加情報は部品の規格を表す情報であることを特徴とする前記（１２）あるいは（１３）記載の部品情報保持方法。
【００３６】
（１６）前記付加情報は部品の環境情報であることを特徴とする前記（１２）あるいは（１３）記載の部品情報保持方法。
【００３７】
（１７）前記付加情報は部品の材料情報であることを特徴とする前記（１２）あるいは（１３）記載の部品情報保持方法。
【００３８】
（１８）前記材料情報は部品で使用されている材料の材質を表す情報であることを特徴とする前記（１７）記載の部品情報保持方法。
【００３９】
（１９）前記材料情報は部品で使用されている材料の仕上げ処理方法を表す情報であることを特徴とする前記（１７）記載の部品情報保持方法。
【００４０】
（２０）前記材料情報は部品で使用されている材料の処分処理方法を表す情報であることを特徴とする前記（１７）記載の部品情報保持方法。
【００４１】
（２１）前記材料情報は部品で使用されている材料の規格を表す情報であることを特徴とする前記（１７）記載の部品情報保持方法。
【００４２】
（２２）前記材料情報は部品で使用されている材料の環境情報であることを特徴とする前記（１７）記載の部品情報保持方法。
【発明の効果】
【００４３】
本発明によれば、部品情報保持装置に接続された外部装置から部品情報を受信して装置内の情報保持部に部品・付加情報記号および対応データを書き込み、保持することで、装置内の全ての部品情報および付加情報を容易に読み出し可能とすることができる。また、部品番号と部品記号、および付加情報と付加情報記号を対応させたデータを装置内に保持し、かつ部品記号と付加情報記号を対応させたデータを装置内に保持することで、容易に部品と部品の付加情報との対応をとることが可能となる。
【００４４】
また、本発明によれば、部品情報保持装置に接続された他の部品情報保持装置の部品番号と部品記号、および付加情報と付加情報記号を対応させたデータを各装置内に書き込み保持するもしくは読み出すことで、複数装置の複数部品と部品の付加情報との対応をとることが可能となる。
【発明を実施するための最良の形態】
【００４５】
以下本発明の実施例について、図面を参照しながら説明する。
【実施例１】
【００４６】
本発明の第１の実施例を以下に示す。また、部品情報の付加情報を部品の材料情報として示す。
【００４７】
図１は本発明の構成を電気ブロック図で示したものであり、１００は本発明の部品情報保持装置であり、１０１は情報保持部でありＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やＦｌａｓｈＲＯＭやＩＣメモリカードなどのデータの消去および書き込みが可能で、データを常時保持することが可能な不揮発性メモリである。
【００４８】
１０２は部品情報保持装置１００を制御するＣＰＵ（Ｃｅｎｔｒａｌ  Ｐｒｏｃｅｓｓｉｎｇ  Ｕｎｉｔ）であり、一時的にデータを保持可能とした揮発性メモリであるＲＡＭ（Ｒａｎｄｏｍ  Ａｃｃｅｓｓ  Ｍｅｍｏｒｙ）や装置の制御や処理手順を記述したプログラムを保持している不揮発性メモリであるＲＯＭやその他周辺回路を内蔵した１チップマイコンとする。ただしＲＡＭやＲＯＭやその他周辺回路がＣＰＵ１０２の外部に配設されている構成でもかまわず、特に限定するものではない。
【００４９】
部品情報保持装置１００での処理は、ＣＰＵ１０２内のＲＯＭに保持されているプログラムを読み出してＣＰＵ１０２にて実行するものとする。
【００５０】
１０３および１０４は、部品情報保持装置１００に接続されている部品である。モータやソレノイドなどのアクチュエータ類や光学式センサやスイッチ等のセンサ類を例としてあげるが、特に限定するものではない。また、部品１０４のように電気的に接続されているものではなく、金属やモールド部材等の部品であってもよい。
【００５１】
１０５および１０６は部品情報保持装置１００と他の装置を接続する際に使用するＩ／Ｆ（インターフェース）部分であり、装置間で電気的に通信処理によってデータの送受信が可能なように構成したものである。通信方法に関しては、装置間のデータの送受信が可能であれば、特に限定するものではない。また、１０５と１０６はＣＰＵ１０２に接続されており、ＣＰＵ１０２の制御により通信処理を行う場合と、１０５と１０６間でＣＰＵ１０２を介さずに通信データを送受信することが可能なように構成してもよいものとする。
【００５２】
情報保持部１０１とＣＰＵ１０２は接続されており、Ｉ／Ｆ部１０５と１０６からのデータをＣＰＵ１０２経由で情報保持部１０１に書き込むように動作する。もしくはＣＰＵ１０２を介して情報保持部１０１からデータを読み出してＩ／Ｆ部１０５と１０６を経由して他装置に送信するように動作するものとする。データの読み出し書き込み処理は、ＣＰＵ１０２にて行うものとする。
【００５３】
また、本実施例のＣＰＵ１０２にあたる演算処理部が無い装置においては、Ｉ／Ｆ部１０５および１０６を経由して情報保持部１０１にデータの書き込みもしくは情報保持部１０１からのデータ読み出しを行うことも可能とする。
【００５４】
また、本実施例では、他装置との接続部であるＩ／Ｆ数を１０５および１０６の２箇所としているが、本発明ではＩ／Ｆ数を特に限定するものではない。
【００５５】
情報保持部１０１、ＣＰＵ１０２、Ｉ／Ｆ部１０５および１０６は、部品１０７として部品情報保持装置１００の一部品として設定されているものである。
【００５６】
１０１から１０７までの各部品については、その個数に関して特に限定するものではない。
【００５７】
１０８は部品情報保持装置１００に接続されている外部装置を表しているものである。外部装置１０８は、部品情報保持装置１００と電気的に通信処理によってデータの送受信が可能なように接続されているものである。
【００５８】
外部装置１０８と部品情報保持装置１００は、部品情報データを送受信することで、部品情報データの読み出しや書き込み処理を行えるように接続されている。
【００５９】
図２は、部品情報保持装置１００内の情報保持部１０１に部品情報を書き込む際の処理を示したフローチャートである。外部装置１０８からＩ／Ｆ部１０５および１０６を介して２００で部品情報の書き込み指示があったと判断した場合、２０１にて１つの部品に関する全材料情報を受信したかどうかの判断を行う。受信したデータは、一時的に部品情報保持装置１００内に保持するものとする。
【００６０】
受信していれば、２０２にて部品番号から部品記号を生成する。部品記号はデータの受信順番をもとにして生成する方法や、所定の記号を組み合わせる方法や、部品番号を所定の変換式によって記号として変換し生成するものであり、部品の識別が可能なように、異なる部品に記号が重複しないように設定するものとする。また、部品記号の生成および変換に関しては、特に方法を限定するものではない。
【００６１】
次に２０３にて材料情報から材料記号を生成する。材料記号はデータの受信順番をもとにして生成する方法や、所定の記号を組み合わせる方法や、材料情報を所定の変換式によって記号として変換し生成するものであり、材料の識別が可能なように、異なる材料に記号が重複しないように設定するものとする。また、材料記号の生成および変換に関しては、特に方法を限定するものではない。
【００６２】
２０４にて部品・材料記号対応データを生成する。部品・材料記号対応データは部品記号に対して複数存在する材料記号が付随している。
【００６３】
２０５では、記号・情報対応データを生成する。記号・情報対応データは、記号に対応した部品番号、材料情報、材料の処理方法、材料の規格情報などの部品材料情報が付随している。
【００６４】
２０６では、２０４にて生成した部品・材料記号対応データと、２０５にて生成した記号・情報対応データを情報保持部１０１に書き込む処理を行う。
図２の処理は、装置が複数部品によって構成されている場合、複数回行う場合があるものとする。
【００６５】
図３は、部品情報保持装置１００内の情報保持部１０１から部品情報を読み出す際の処理を示したフローチャートである。
【００６６】
３００では、部品情報保持装置１００に対して外部装置から部品情報読み出し要求データを受信したかどうかを判断し、受信していれば３０１に進み記号・情報対応データを読み出す。
【００６７】
３０２では、記号・情報対応データをもとに部品記号が指示されて材料記号の読み出しが指示されたと判断した場合、３０３に進む。
【００６８】
３０３では指定された部品記号に対応した材料記号を部品・材料記号対応データから読み出し、３０４にて対応する全ての材料記号が読み出されたと判断した場合、部品情報読み出し処理を終了する。
【００６９】
３０２で材料記号が指示され、部品記号の読み出しが指示されたと判断した場合、３０５にて部品・材料記号対応データから対応する部品記号の読み出しを行う。３０６にて材料記号に対応する部品記号の読み出しが全て終了した場合、部品情報読み出し処理を終了する。
【００７０】
図４は、外部装置１０８から送信される部品・材料情報を表した図であり、部品番号に対応した複数の材料情報を示している。例えば、部品番号Ａ０００には、Ａ鋼板、Ｂ鋼板、Ｃゴム、Ｄビニル電線が材料として設定されており、その他付随した情報が設定されているものとする。
【００７１】
図５は、図２の処理にて生成された部品・材料記号対応データを表した図であり、部品番号に対応した部品記号と、材料情報に対応した材料記号をそれぞれ示している。例えば、部品記号ＸＸＸＸは図４の部品番号Ａ０００に対応し、材料記号Ｘ００１は図４の材料情報Ａ鋼板に対応している。
【００７２】
図６は、図２の処理にて生成された記号・情報対応データを表しており、部品および材料記号と、部品および材料情報を対応させたデータを示している。
【００７３】
以上、述べてきたように、実施例１に示す本発明の効果は、部品情報保持装置に接続された外部装置から部品情報を受信して装置内の情報保持部に部品・材料記号および対応データを書き込み保持することで、装置内の全ての部品情報および材料情報を容易に読み出し可能とすることができる。
【００７４】
また、部品番号と部品記号、および材料情報と材料記号を対応させたデータを装置内に保持し、かつ部品記号と材料記号を対応させたデータを装置内に保持することで、容易に部品の材料情報と部品との対応をとることが可能となる。
【実施例２】
【００７５】
次に、本発明の第２の実施例を以下に説明する。
【００７６】
図７は、部品情報保持装置１００と部品情報保持装置１１０を接続した構成を表した電気ブロック図である。
【００７７】
１１１は部品情報保持装置１１０の情報保持部であり、１０１と同様にＥＥＰＲＯＭやＦｌａｓｈＲＯＭやＩＣメモリカードなどの消去書き込み可能なデータを常時保持することが可能な不揮発性メモリである。
【００７８】
１１２は部品情報保持装置１１０を制御するＣＰＵであり、一時的にデータを保持可能とした揮発性メモリであるＲＡＭや、装置の制御や処理手順を記述したプログラムを保持している不揮発性メモリであるＲＯＭやその他周辺回路を内蔵した１チップマイコンとする。ただしＲＡＭやＲＯＭやその他周辺回路がＣＰＵ１１２の外部に配設されている構成でもかまわず、特に限定するものではない。
【００７９】
部品情報保持装置１１０での処理は、ＣＰＵ１１２内のＲＯＭに保持されているプログラムを読み出してＣＰＵ１１２にて実行するものとする。
【００８０】
１１３は、部品情報保持装置１１０に接続されている部品である。モータやソレノイドなどのアクチュエータ類や光学式センサやスイッチ等のセンサ類を例としてあげるが、特に限定するものではなく、電気的に接続可能なように接続されている部品である。
【００８１】
１１４および１１５は部品情報保持装置１１０と他の装置を接続する際に使用するＩ／Ｆ（インターフェース）部分であり、装置間で電気的に通信処理によってデータの送受信が可能なように構成したものである。通信方法に関しては、装置間のデータの送受信が可能であれば、特に限定するものではない。また、１１４と１１５はＣＰＵ１１２に接続されており、ＣＰＵ１１２の制御により通信処理を行う場合と、１１４と１１５間でＣＰＵ１１２を介さずに通信データを送受信することが可能なように構成されているものとする。
【００８２】
情報保持部１１１とＣＰＵ１１２は接続されており、Ｉ／Ｆ部１１４と１１５からのデータをＣＰＵ１１２経由で情報保持部１１１に書き込むように動作する。もしくはＣＰＵ１１２を介して情報保持部１１１からデータを読み出してＩ／Ｆ部１１４と１１５を経由して他装置に送信するように動作するものとする。データの読み出し、書き込み処理は、ＣＰＵ１１２にて行うものとする。
【００８３】
また、本実施例のＣＰＵ１１２にあたる演算処理部が無い装置においては、Ｉ／Ｆ部１１４および１１５を経由して情報保持部１１１にデータの書き込みもしくは情報保持部１１１からのデータ読み出しを行うことも可能とする。
【００８４】
また、情報保持部１１１、ＣＰＵ１１２、Ｉ／Ｆ部１１４および１１５は、１１６部品として部品情報保持装置１１０の一部品として設定されているものである。
【００８５】
１１１から１１６までの各部品については、その個数に関して特に限定するものではない。
【００８６】
外部装置１０８と部品情報保持装置１１０は、部品情報データを送受信することで、部品情報データの読み出しや書き込み処理を行うことが可能なように接続されている。
【００８７】
図８は、部品情報保持装置１００および１１０の装置接続状態を確認する処理を示したフローチャートである。
【００８８】
８００は各装置において、装置情報読み出し要求データを他装置から受信したかどうかを判断し、受信していれば８０１にてＩ／Ｆ毎に接続されている装置記号を他装置から読み出す。他装置より受信した場合、Ｉ／Ｆ部を経由して接続されている装置に装置情報読み出し要求データを送信する。ただし、装置情報読み出し要求データを受信した装置は受信したＩ／Ｆ部に接続されている装置に対しては装置情報読み出し要求データを送信しない処理を行ってもよい。
【００８９】
装置情報である装置記号は、装置が製造された際に装置内に書き込まれ保持しているデータであり、本実施例では情報保持部１０１もしくは１１１もしくはＣＰＵ１０２もしくは１１２内のＲＯＭに書き込まれて保持されているものであるとする。
【００９０】
８０２では８０１で読み出した装置記号をＩ／Ｆ毎に対応するように情報保持部１０１もしくは１１１もしくはＣＰＵ１０２もしくは１１２内のＲＯＭ／ＲＡＭに保持する処理を行う。
【００９１】
８０３では、装置の全Ｉ／Ｆに接続されている装置記号を読み出したかどうかを判断し、読み出していれば、処理を終了する。終了していなければ、８０１に戻り、残りのＩ／Ｆに接続されている装置記号を読み出す処理を行う。
【００９２】
図９は、図８のフローチャートで示したＩ／Ｆ毎に対応した装置記号を装置内に保持する際のデータを示した図である。Ｉ／Ｆに対応した接続装置の装置記号を設定したデータを表している。
【００９３】
図１０は、複数の部品情報保持装置が接続された構成において、各装置の部品情報読み出し処理を示したフローチャートである。
【００９４】
１０００では、外部装置から部品情報読み出し要求データを受信したかどうかを判断し、受信してれば、１００１に進み記号・情報対応データを読み出す。部品情報読み出し要求データを受信した装置は、装置のＩ／Ｆ毎に接続されている他装置へ部品情報読み出し要求データを送信し、外部装置へ記号・情報対応データを送信するように処理する。ただし、受信した装置は受信したＩ／Ｆに接続されている装置に対しては部品情報読み出し要求データを送信しない処理を行ってもよい。
【００９５】
１００２では装置の全Ｉ／Ｆにおいて記号・情報対応データの読み出し処理が終了したかどうかを判断し、終了していなければ１００１に戻る。終了していれば、１００３に進む。
【００９６】
１００３では、外部装置より記号・情報対応データをもとに部品記号が指定されて材料記号の読み出しが指示されたと判断した場合、１００４に進む。外部装置からのデータは、Ｉ／Ｆ部を経由して接続されている全装置へ送信されるものとし、受信した装置が個別に外部装置でデータを送信するものとする。
【００９７】
１００４では指定された部品記号に対応した材料記号を部品・材料記号対応データから読み出し、１００５にて対応する全ての材料記号が読み出されたと判断した場合、部品情報読み出し処理を終了する。
【００９８】
１００３で材料記号が指示され、部品記号の読み出しが指示されたと判断した場合、１００６にて部品・材料記号対応データから対応する部品記号の読み出しを行う。１００７にて材料記号に対応する部品記号の読み出しが全て終了した場合、部品情報読み出し処理を終了する。
【００９９】
図１１は複数の部品情報保持装置が接続された構成において、各装置の部品情報書き込み処理を示したフローチャートである。
【０１００】
１１００では、外部装置から部品情報の書き込み指定の装置記号データを受信したか判断し、受信していれば、１１０１に進み、各装置のＩ／Ｆに接続されている対応する装置記号を確認し、Ｉ／Ｆで接続されている装置で対応するものがなければ、接続されている装置に部品情報の書き込み指定の装置記号データを送信する。装置記号で指定された装置は、外部装置と通信を行うためにＩ／Ｆの経路を選択する。Ｉ／Ｆ経路の選択方法は、部品情報の書き込み指定の装置記号データにデータの受信順に装置の記号を順次付加して他の装置に送信するなどの方法で、指定された装置から外部装置までのデータ送信経路を選択するような処理であってもよいとする。Ｉ／Ｆ経路選択方法に関しては、特に限定するものではなく、他の方法であっても構わないものとする。
【０１０１】
次に１１０２では、１つの部品に関する全材料情報を受信したかどうかの判断を行う。受信したデータは、一時的に部品情報保持装置１００もしくは１１０内に保持するものとする。
【０１０２】
受信していれば、１１０３にて部品番号から部品記号を生成する。部品記号はデータの受信順番をもとにして生成する方法や、所定の記号を組み合わせる方法や、部品番号を所定の変換式によって記号として変換し生成するものであり、部品の識別が可能なように、異なる部品に記号が重複しないように設定するものとする。また、部品記号の生成および変換に関しては、特に方法を限定するものではない。
【０１０３】
つぎに１１０４にて材料情報から材料記号を生成する。材料記号はデータの受信順番をもとにして生成する方法や、所定の記号を組み合わせる方法や、材料情報を所定の変換式によって記号として変換し生成するものであり、材料の識別が可能なように、異なる材料に記号が重複しないように設定するものとする。また、材料記号の生成および変換に関しては、特に方法を限定するものではない。
【０１０４】
１１０５にて部品・材料記号対応データを生成する。部品・材料記号対応データは部品記号に対して複数存在する材料記号が付随している。
【０１０５】
１１０６では、記号・情報対応データを生成する。記号・情報対応データは、記号に対応した部品番号、材料情報、材料の処理方法、材料の規格情報などの部品材料情報が付随している。
【０１０６】
１１０７では、１１０５にて生成した部品・材料記号対応データと、１１０６にて生成した記号・情報対応データを情報保持部１０１もしくは１１１に書き込む処理を行う。
【０１０７】
図１１の処理は、装置が複数部品によって構成されている場合、複数回行う場合があるものとする。
【０１０８】
図１２は、図６で示した内容とは異なる方法で生成した記号・情報対応データを示した図である。
【０１０９】
図６で示したデータは、同一の部品情報に関して異なる複数の記号が設定され重複したものである。図１２のデータはその重複を回避するように構成したものである。重複を回避するためには、図２の２０２材料記号生成処理手前および図１１の１１０４の処理の手前において、図１３のフローチャートで示す材料記号生成の重複回避処理を追加する。
【０１１０】
１３００では、同一材料情報が既に情報保持部１０１もしくは１１１に書き込まれているかどうかを判断し、書き込まれていなければ、１３０１から１３０３にて従来と同様に部品・材料記号対応データおよび記号・情報対応データを生成する処理を行う。
【０１１１】
１３００で既に同一材料情報を受信していたと判断した場合、１３０４に進み既存の材料記号の選択と、１３０５にて部品・材料記号対応データの選択と設定処理を行う。
【０１１２】
図１４は、前記図１３の材料記号重複回避処理によって設定された部品・材料記号対応データを示した図である。図１２の記号・情報対応データと同様に、重複した材料記号が存在しないデータとなっていることを示している。
【０１１３】
以上、述べてきたように、実施例２に示す本発明の効果は、部品情報保持装置に接続された他の部品情報保持装置の部品番号と部品記号、および材料情報と材料記号を対応させたデータを各装置内に書き込み保持するもしくは読み出すことで、複数装置の複数部品における使用材料情報と部品との対応をとることが可能となる。
【０１１４】
また、同一の材料情報に対して複数の材料記号が生成されて記号が重複し、情報保持部に書き込むデータ量の増大を防止することが可能となり、情報保持部のデータ保持量を低減することも可能となる。
【図面の簡単な説明】
【０１１５】
【図１】本発明の実施例１に係る電気ブロック図を説明する図
【図２】本発明の実施例１に係る部品情報保持装置内の情報保持部に部品情報を書き込む際の処理を示したフローチャート
【図３】本発明の実施例１に係る部品情報保持装置内の情報保持部から部品情報を読み出す際の処理を示したフローチャート
【図４】本発明の実施例１に係る外部装置から送信される部品・材料情報を表した図
【図５】本発明の実施例１に係る部品・材料記号対応データを表した図
【図６】本発明の実施例１に係る記号。情報対応データを表した図
【図７】本発明の実施例２に係る電気ブロック図を説明する図
【図８】本発明の実施例２に係る装置接続状態を確認する処理を示したフローチャート
【図９】本発明の実施例２に係る接続装置記号を装置内に保持する際のデータを示した図
【図１０】本発明の実施例２に係る部品情報読み出し処理を示したフローチャート
【図１１】本発明の実施例２に係る部品情報書き込み処理を示したフローチャート
【図１２】本発明の実施例２に係る記号・情報対応データを示した図
【図１３】本発明の実施例２に係る材料記号の重複回避処理を示したフローチャート
【図１４】本発明の実施例２に係る部品・材料記号対応データを示した図
【符号の説明】
【０１１６】
１００  部品情報保持装置
１０１  情報保持部
１０２  ＣＰＵ（中央演算処理部）
１０３  部品
１０４  部品
１０５  Ｉ／Ｆ部
１０６  Ｉ／Ｆ部
１０７  部品
１０８  外部装置
【図１】
2005182374.tif 000003
【図２】
2005182374.tif 000004
【図３】
2005182374.tif 000005
【図４】
2005182374.tif 000006
【図５】
2005182374.tif 000007
【図６】
2005182374.tif 000008
【図７】
2005182374.tif 000009
【図８】
2005182374.tif 000010
【図９】
2005182374.tif 000011
【図１０】
2005182374.tif 000012
【図１１】
2005182374.tif 000013
【図１２】
2005182374.tif 000014
【図１３】
2005182374.tif 000015
【図１４】
2005182374.tif 000016